(57)【要約】【課題】  首を支持でき、且つ好みの曲を流すことができる音楽プレイヤー内蔵枕を提供する。【解決手段】  本考案は、内部に音楽プレイヤーが設けられる枕を有し、該音楽プレイヤーは、枕の両側に設けられるスピーカーと、一側に設けられ、該スピーカーと接続されるプレイヤー本体とを備え、  前記プレイヤー本体の一側に枕から露出するパネルが設けられ、該パネルに音量調整スイッチが設けられ、該プレイヤー本体の内部に該音量調整スイッチと接続されるマイクロプロセッサ、該マイクロプロセッサと接続する記憶装置及びパワーサプライユニットが設けられることを特徴とする。【選択図】  図１
0003110500.tif 000002
【実用新案登録請求の範囲】
【請求項１】
内部に音楽プレイヤーが設けられる枕を有し、該音楽プレイヤーは、枕の両側に設けられるスピーカーと、一側に設けられ、該スピーカーと接続されるプレイヤー本体とを備え、
前記プレイヤー本体の一側に枕から露出するパネルが設けられ、該パネルに音量調整スイッチが設けられ、該プレイヤー本体の内部に該音量調整スイッチと接続されるマイクロプロセッサ、該マイクロプロセッサと接続する記憶装置及びパワーサプライユニットが設けられることを特徴とする音楽プレイヤー内蔵枕。
【請求項２】
前記パネルに該マイクロプロセッサと接続する選曲装置が設けられることを特徴とする請求項１に記載の音楽プレイヤー内蔵枕。
【請求項３】
前記パネルに該マイクロプロセッサと接続する入力部材とイヤホンジャックが設けられることを特徴とする請求項１又は２に記載の音楽プレイヤー内蔵枕。
【考案の詳細な説明】
【技術分野】
【０００１】
本考案は、特に首部を支持でき、且つ好みの曲を流すことができるプレイヤー内蔵枕に関するものである。
【背景技術】
【０００２】
現代人は、ストレスが非常に多いため、不眠症などのあらゆる問題を抱えており、そのような症状を有する人は、一般に適当な運動をしたり、又は適当な食物を食べることにより、該症状を解消しているが、最近では癒し系の音楽を聴くことによって、該症状を解消する人が増えてきている。
【考案の開示】
【考案が解決しようとする課題】
【０００３】
しかしながら、従来の枕は首を支持する効果しかないので、音楽を流して心身を癒すことができなく、又、睡眠中にイヤホンを使用すると、耳を圧迫して睡眠に悪影響を及ぼし、益々ストレスが溜まってしまう恐れがある。
【０００４】
そこで、案出されたのが本考案であって、首を支持できると共に、好みの曲を流すことができる音楽プレイヤー内蔵枕を提供することを目的としている。
【課題を解決するための手段】
【０００５】
本考案の請求項１は、内部に音楽プレイヤーが設けられる枕を有し、該音楽プレイヤーは枕の両側に設けられるスピーカーと、一側に設けられると共に、該スピーカーと接続するプレイヤー本体とを備え、
前記プレイヤー本体の一側に枕から露出するパネルが設けられ、該パネルに音量調整スイッチが設けられ、該プレイヤー本体の内部に該音量調整スイッチと接続するマイクロプロセッサ、該マイクロプロセッサと接続する記憶装置及びパワーサプライユニットが設けられることを特徴とする音楽プレイヤー内蔵枕を提供するものであり、
本考案の請求項２は、前記パネルに該マイクロプロセッサと接続する選曲装置が設けられることを特徴とする請求項１に記載の音楽プレイヤー内蔵枕を提供するものであり、
本考案の請求項３は、前記パネルに該マイクロプロセッサと接続する入力部材とイヤホンジャックが設けられることを特徴とする請求項１又は２に記載の音楽プレイヤー内蔵枕を提供するものである。
【考案の効果】
【０００６】
本考案は上記の課題を解決するものであり、枕の内部にスピーカーと、該スピーカーと接続されるプレイヤー本体を備える音楽プレイヤーが設けられ、該プレイヤー本体の一側に枕から露出するパネルが設けられ、該パネルに音量調整スイッチ、選曲装置、入力部材及びイヤホンジャックが設けられるので、首を支持できると共に、他人に迷惑をかけずに好みの曲を聴くことができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る音楽プレイヤー内蔵枕を示す斜視図であり、図２は本考案に係る音楽プレイヤー内蔵枕の第１使用状態を示す斜視図であり、図３は本考案に係る音楽プレイヤー内蔵枕の第２使用状態を示す斜視図であり、図４は本考案に係る音楽プレイヤー内蔵枕の第３使用状態を示す斜視図である。
【０００９】
図１に示すように、本考案に係る音楽プレイヤー内蔵枕は、内部に音楽プレイヤー（２０）が設けられる、弾力を有する四方形の枕（１０）を有し、該音楽プレイヤー（２０）は、枕（１０）の両側に設けられるスピーカー（２１）と、一側に設けられ、該スピーカー（２１）と接続されるプレイヤー本体（２２）とを備える。
【００１０】
前記プレイヤー本体（２２）の一側には枕（１０）から露出するパネル（２２１）が設けられ、該パネル（２２１）に音量調整スイッチ（２２２）、選曲装置（２２３）、入力部材（２２４）及びイヤホンジャック（２２５）が設けられ、該プレイヤー本体（２２）の内部には前記各装置と接続されるマイクロプロセッサ（符号なし）とパワーサプライユニット（２２６）が設けられる。
【００１１】
前記選曲装置（２２３）は、プレイヤー本体（２２）の内部に記憶された曲を選択することができ、前記入力部材（２２４）は、例えばＣＤプレイヤー、ＭＰ３プレイヤーなどの音響装置を接続することにより、好みの曲を流すことができる。その上、前記イヤホンジャック（２２５）にイヤホンが設けられることにより、他人に迷惑をかけずに好みの曲を聴くことができる。
【００１２】
又、図２に示すように、本考案に係る音楽プレイヤー内蔵枕を使用する場合は、使用者自らプレイヤー本体（２２）の音量調整スイッチ（２２２）を調整して、スピーカー（２１）から好みの曲を流すことにより、使用者の心身をリラックスさせることができる。
【００１３】
図３に示すように、本考案に係る音楽プレイヤー内蔵枕の入力部材（２２４）にＭＰ３プレイヤーを接続する場合は、音量調整スイッチ（２２２）を回転させるだけで、スピーカー（２１）から曲を流すことができる。
【００１４】
更に、図４に示すように、使用者がイヤホンを使用する場合は、該イヤホンのプラグをイヤホンジャック（２２５）に挿入すれば、該イヤホンから音楽を流すことができる。
【００１５】
更に、前記枕（１０）の中央に押圧式スイッチ（図示せず）を設けてもよく、それにより使用者の頭部で該押圧スイッチを押圧すれば、曲を流すことができる。
【産業上の利用可能性】
【００１６】
本考案は上記の構成を有し、枕の内部にスピーカーと、該スピーカーと接続されるプレイヤー本体とを備える音楽プレイヤーが設けられ、該プレイヤー本体の一側に枕から露出するパネルが設けられ、該パネルに音量調整スイッチ、選曲装置、入力部材及びイヤホンジャックが設けられることにより、首を支持できると共に、他人に迷惑をかけずに曲を聴くことができる。
【図面の簡単な説明】
【００１７】
【図１】本考案に係る音楽プレイヤー内蔵枕を示す斜視図である。
【図２】本考案に係る音楽プレイヤー内蔵枕の第１使用状態を示す斜視図である。
【図３】本考案に係る音楽プレイヤー内蔵枕の第２使用状態を示す斜視図である。
【図４】本考案に係る音楽プレイヤー内蔵枕の第３使用状態を示す斜視図である。
【符号の説明】
【００１８】
１０        枕
２０        音楽プレイヤー
２１        スピーカー
２２        プレイヤー本体
２２１      パネル
２２２      音量調整スイッチ
２２３      選曲装置
２２４      入力部材
２２５      イヤホンジャック
２２６      パワーサプライユニット
【図１】
0003110500.tif 000003
【図２】
0003110500.tif 000004
【図３】
0003110500.tif 000005
【図４】
0003110500.tif 000006